(57)【要約】      （修正有）【課題】上下左右方向の位置調節だけでなく、例えば、厚みや硬さ等の調節をも容易に行うことができる当て具を提供する。【解決手段】当て具本体１と、当て具本体に設けられた当て具本体を車両の座席に着脱自在に取り付け可能な取付帯２と、を備えた当て具１０であって、当て具本体が、開閉手段により開閉可能な開口部を有する袋体と、袋体内に出入自在に収容された詰物と、から成り、取付帯が、必要に応じて座席のヘッドレスト、または背凭れ部に巻き付けて固定可能な長さを持たせる。【選択図】図１ａ
0003147393.tif 000002
【実用新案登録請求の範囲】
【請求項１】
当て具本体と、該当て具本体に設けられ、該当て具本体を車両の座席に着脱自在に取り付け可能な取付帯と、を備えた当て具であって、
前記当て具本体が、開閉手段により開閉可能な開口部を有する袋体と、該袋体内に出入れ自在に収容された詰物と、から成り、
前記取付帯が、前記座席のヘッドレスト、または背凭れ部に巻き付けて固定可能な長さを有していることを特徴とする、当て具。
【請求項２】
前記詰物が、開閉手段により開閉可能な開口部を有する内袋と、該内袋内に出入れ自在に収容された一又は複数の内容物と、から成り、
前記一又は複数の内容物を前記開口部より出入れすることで、前記当て具本体の厚みや硬さが調節可能であることを特徴とする、請求項１に記載の当て具。
【請求項３】
前記取付帯が、一対の帯部材と、一対の固定手段と、から成り、
前記帯部材が帯丈を調節する長さ調節手段を備えていることを特徴とする、請求項１に記載の当て具。
【請求項４】
前記詰物を当て具本体から取り出し、ウエストポーチとして使用し得る、請求項１に記載の当て具。
【考案の詳細な説明】
【技術分野】
【０００１】
本考案は、自動車などの車両の座席のヘッドレストや背凭れ部等に取り付け可能な当て具に関する。
【背景技術】
【０００２】
従来、自動車などの車両の座席は、臀部を支える座部と、腰部から背中部を支える背凭れ部と、後頭部を支えるヘッドレスト部とで構成されている。
【０００３】
通常、ヘッドレストは乗員の身長や姿勢に合わせられるように、前後、および上下に位置を調整できるように設計されている。しかし、例えば、運転者は車両を運転中には後頭部をヘッドレストから離した状態で運転していることが多い。このような状態で長時間にわたり運転を続ければ、頭、首、肩などに疲労が蓄積し、集中力が低下し、安全な運転に支障を及ぼす。また、追突事故に遭遇した場合、運転者は頭部に強い衝撃を受け、むち打ち症を発症するおそれがある。
【０００４】
かかる事情に鑑み、座席のヘッドレストに取り付け可能な車両用枕が下記特許文献１に開示されている。
【特許文献１】特開２００６−１５８５４号公報
【考案の開示】
【考案が解決しようとする課題】
【０００５】
この車両用枕は、上下方向、左右方向への位置調節はできるものの、枕の厚み調節や硬さ調節ができない難点があった。
【０００６】
そこで本考案者は、上記の難点に鑑み、上下左右方向の位置調節だけでなく、例えば、厚みや硬さ等の調節をも容易に行うことができる当て具を提供するべく鋭意検討を重ねた結果、本考案に至ったのである。
【課題を解決するための手段】
【０００７】
本考案の当て具の要旨とするところは、当て具本体と、該当て具本体に設けられ、該当て具本体を車両の座席に着脱自在に取り付け可能な取付帯と、を備えた当て具であって、前記当て具本体が、開閉手段により開閉可能な開口部を有する袋体と、該袋体内に出入れ自在に収容された詰物と、から成り、前記取付帯が、前記座席のヘッドレスト、または背凭れ部に巻き付けて固定可能な長さを有していることにある。
【０００８】
また、係る当て具において、前記詰物が、開閉手段により開閉可能な開口部を有する内袋と、該内袋内に出入れ自在に収容された一又は複数の内容物と、から成り、前記一又は複数の内容物を前記開口部より出入れすることで、前記当て具本体の厚みや硬さが調節可能であることにある。
【０００９】
更に、係る当て具において、前記取付帯が、一対の帯部材と、一対の固定手段と、から成り、前記帯部材が帯丈を調節する長さ調節手段を備えていることにある。
【００１０】
また更に、係る当て具において、前記詰物を当て具本体から取り出し、ウエストポーチとして使用し得ることにある。
【考案の効果】
【００１１】
本考案の当て具によると、当て具本体に取り付けられた取付帯により、車両の座席への着脱や取り付け位置の調節ができ、また、当て具本体に設けられた開閉手段を備える開口部を通して、当て具本体内の詰物の量や材料を変えることで、当て具本体の厚みや硬さを調節できる。
【００１２】
また、本考案の当て具によると、上記説明のとおり、当て具の厚みや硬さを調節して、固定手段を備えた取付帯により、例えば、車両の座席の背凭れ部、あるいは乗員の腰部に取り付けることで、腰当てとして使用できる。車両での移動が長時間にわたると乗員は同じ姿勢で座席に着座していることを余儀なくされ、腰への疲労が蓄積し、腰痛や椎間板ヘルニア等の発症の原因ともなり得るが、本考案の当て具を腰当てとして使用することで、車両で移動する乗員の腰への疲労を軽減できる。よって腰痛や椎間板ヘルニア等の発症を予防することができる。
【００１３】
更に、本考案の当て具によると、開閉手段を備える開口部が設けられた内袋を当て具本体内に備えることで、一または複数の内容物が収容された前記内袋自体を当て具本体の詰物として使用できるので、当て具本体から詰物を容易に取り出すことができる。
【００１４】
また更に、本考案の当て具によると、詰物を当て具本体から取り出すことによって当て具本体の内部に空間が形成され、このような状態で前記当て具本体を前記固定手段により使用者の腰部に固定し、該空間を収容スペースとして利用し、さらに、本考案の当て具本体に設けられている、開閉手段を備える開口部を収容口として利用することで、本考案の当て具をポーチとして使用できる。
【考案を実施するための最良の形態】
【００１５】
以下、本考案の当て具の実施形態について、図面に基づき説明する。
【００１６】
図１ａ、図１ｂに本考案の実施形態に係る当て具１０を示す。
【００１７】
図１ａには、本考案の実施形態に係る当て具１０の斜視図が示されている。同図に示した当て具１０は、開閉手段としてファスナー５を備える開口部３が底面１Ｂに設けられている、乗員の頭部や腰部を支えるための当て具本体１と、座席等の固定したい位置に巻き付けて当て具本体１を固定するための帯部材９、および当て具本体１を座席等に固定するための固定手段である面ファスナー４、から成る一対の取付帯２と、で構成されている。取付帯２は、当て具本体１の側面１Ｓの一部に取り付けられている。また、当て具本体１の内部には、図示していない詰物が収容されている。
【００１８】
前記当て具本体１は、乗員の後頭部の受面となる前面１Ｆと、後述するヘッドレストＨへの接触面となる背面１Ｒと、前記取付帯２が取り付けられている両側面１Ｓと、前記開口部３を有する底面１Ｂと、底面１Ｂに対向する上面１Ｕと、で囲まれる袋体であり、材料として、通気性のある生地が使用されている。
【００１９】
前記開口部３は、当て具本体１の底面１Ｂに形成されており、開閉手段としてファスナー５を備えている。ファスナー５によって、開口部３は自在に開閉が為される。開口部３は、ファスナー５によって開口されることで、当て具本体１の内部空間への入口となり、閉口されることで、当て具本体１の内部に詰物が収容された状態が保たれる。
【００２０】
前記取付帯２は、通気性のある生地でできた帯部材９と、面ファスナー４とで形成されている。帯部材９は、座席のヘッドレスト、または背凭れ部に巻き付けて固定可能な長さを有している。帯部材９の基端は、当て具本体１の両側面１Ｓにそれぞれ縫い付けられており、帯部材９の末端側には固定手段である面ファスナー４が縫い付けられている。
【００２１】
図１ｂには、本考案の当て具１０の上面図が示されている。前記帯部材９の基端は当て具本体１の両側面１Ｓに縫い付けられており、帯部材９の末端側には面ファスナー４が縫い付けられている。面ファスナー４には、雄ファスナーと雌ファスナーと２種類のファスナーが存在し、それぞれが帯部材９の末端側に同図で示すとおりに縫い付けられている。
【００２２】
前記面ファスナー４は、雄ファスナーと雌ファスナーそれぞれの面を接合することで固定される。接合部の面積を任意に変化させることで固定位置や固定強度を調節することが可能である。
【００２３】
本考案の当て具１０を構成する当て具本体１、および取付帯２を形成する帯部材９は通気性のある生地で形成されているので、容易に洗濯することができ、清潔な状態に保つことができる。また複数の色が違う当て具本体１を準備することで気分によって使い分けることもできる。
【００２４】
また、本考案の当て具１０は、当て具本体１が、上記説明のような袋体であることによって、弾性を有する詰物を収容することができる。これによって当て具本体１に弾性を持たせることができるので、クッション材として使用できる。
【００２５】
更に、当て具本体１が、開閉自在なファスナー５を開閉手段として備える開口部３を有していることによって、内部に収容されている詰物の出入れが自由にできるので、当て具本体１の厚みや硬さを使用者の好みに合わせて調節することができる。
【００２６】
また更に、本考案の当て具１０は、面ファスナー４と、帯部材９から成る、取付帯２を有していることで、例えば、当て具本体１を、座席のヘッドレスト、または背凭れ部等に巻き付けて固定して使用することができる。
【００２７】
図２には、本考案の当て具１０を構成する内袋２０を示す透視斜視図が示されている。同図に示した内袋２０は、開閉手段としてファスナー２５を備える開口部２３が底面２１Ｂに設けられている、一または複数の内容物２２を収容するための内袋本体２１と、内袋本体２１内に収容される一または複数の内容物２２と、で構成されている。内袋本体２１の内部には、一または複数の内容物２２が収容されている。内袋２０の体積は、当て具本体１の体積と比べて少し小さいため、内袋本体２１の内部に収容された、一または複数の内容物２２を含めて、当て具本体１の内部に収容できる。
【００２８】
前記内袋本体２１は、前面２１Ｆと、前面２１Ｆに対向する背面２１Ｒと、両側面２１Ｓと、開口部２３を有する底面２１Ｂと、底面２１Ｂに対向する上面２１Ｕと、で囲まれる袋体であり、材料として、通気性のある生地が使用されている。内袋本体２１の形状は、当て具本体１と同形状であり、内袋本体２１の体積は、当て具本体１の体積と比較すると、少しだけ小さい。
【００２９】
前記開口部２３は、内袋本体２１の底面２１Ｂに形成されており、開閉手段としてファスナー２５を備えている。ファスナー２５によって、開口部２３は自在に開閉が為される。開口部２３は、ファスナー２５によって開口されることで、内袋本体２１の内部空間への入口となり、閉口されることで、内袋本体２１の内部に一または複数の内容物２２が収容された状態が保たれる。
【００３０】
前記一または複数の内容物２２は、本考案の当て具１０に弾性を持たせるために内袋本体２１の内部に詰められる。内容物２２の材料としては一般的にストローのような円筒形の合成樹脂を細切したものやウレタン等の樹脂材料、スポンジ等が使用されることが多いが、本考案の実施形態は上記の材料に限定されるものではない。
【００３１】
内袋本体２１は通気性のある生地で形成されており、容易に洗濯することができるので、清潔な状態を保つことができる。
【００３２】
また、内袋本体２１は袋体であるので、内部に詰める内容物２２が一の場合であっても、または複数の場合であっても、内袋本体２１の内部に内容物２２を詰めることで、当て具本体１の内部に一の詰物として収容することができる。これによって、当て具本体１に収容される詰物の出入れ、あるいは当て具本体１の厚みや硬さの調節を容易に行うことができる。
【００３３】
図３には、本考案に係る当て具１０の分解斜視図が示されている。同図において、上記で説明した当て具１０、内袋２０、内容物２２が、それぞれ独立した状態で示されている。当て具１０と内袋２０との間にある矢印は、当て具１０に内袋２０が出入れ自在であることを示し、内袋２０と内容物２２との間にある矢印は、内袋２０に内容物２２が出入れ自在であることを示している。また、同図に示されている内容物２２ａはスポンジ等の材料であり、内容物２２ｂは樹脂パイプ等の体積の小さい材料である。
【００３４】
前記内容物２２ａは、内袋本体２１の内部に形成される空間を満たすための十分な体積を有しており、スポンジ等の弾性を持つ材料で出来ているので、圧縮して体積を縮小させることができる。これによって、内容物２２ａは、開口部２３を通して内袋本体２１の内部に収容できる。
【００３５】
前記内容物２２ｂは、内袋本体２１の体積に比べて、十分に小さい体積の材料なので、開口部２３を通して内袋本体２１の内部に容易に収容できる。複数の内容物２２ｂが内袋本体２１の内部に形成される空間を満たすことで内袋２０に弾性を持たせることができる。内容物２２ｂは体積が小さく、内袋本体２１に詰める量を微調整しやすいので、当て具１０の厚みを調節するのに適している。
【００３６】
上記説明の内容物２２ａ、または内容物２２ｂが収容された内袋２０は、本考案の当て具１０に弾性を持たせるための詰物として当て具本体１の内部に収容される。このことで、当て具本体１の内部に収容されている詰物を取り出して、空の状態にしたい時には、内袋２０のみを当て具本体１から取り出すことで、内袋本体２１の内部に収容されている内容物２２も同時に取り出すことができるので、特に、内容物２２ｂのような複数の内容物によって、当て具本体１に弾性を持たせている場合には非常に便利な実施形態である。
【００３７】
本考案に係る当て具１０の使用例を図４に示す。同図において、当て具本体１は、車両の座席に座る乗員の後頭部４１と、車両の座席のヘッドレストＨとの間に、当て具本体１の前面１Ｆと後頭部４１が、当て具本体１の背面１ＲとヘッドレストＨが接触するように取付帯２によって固定されている。当て具本体１の固定位置は、取付帯２の末端側に取り付けられた、図示されていない前記面ファスナー４によって調節できる。
【００３８】
当て具本体１が、乗員の後頭部４１と、座席のヘッドレストＨとの間に適切に固定されることで、乗員の後頭部４１とヘッドレストＨとの間に生じる隙間を補い、常に乗員の頭部を支える状態を保つことができる。その結果、車両で移動中の乗員の頭、首、肩への疲労が軽減され、また、追突事故に遭遇した際に乗員の頭部への衝撃を軽減すること等の効果を得ることができる。本考案の当て具１０は、当て具本体１の厚みや硬さ、取り付け位置が調節できるので、乗員の身長や体形、その他の身体的特徴にとらわれることなく本考案を実施することができる。
【００３９】
本考案に係る当て具１０の他の使用例を図５に示す。同図において、当て具本体１は、乗員の腰部Ｗの背面部と、車両の座席の背凭れ部Ｓとの間に、当て具本体１の前面１Ｆと乗員の腰部Ｗの背面部が、当て具本体１の背面１Ｒと背凭れ部Ｓが接触するように取付帯２によって固定されている。当て具本体１の固定位置は、取付帯２の末端側に取り付けられた、図示されていない前記面ファスナー４によって調節できる。
【００４０】
当て具本体１が、乗員の腰部Ｗの背面部と座席の背凭れ部Ｓとの間に適切に固定されることで、当て具本体１は乗員の腰部Ｗの背面部と、座席の背凭れ部Ｓとの間に備えられる腰当てとして乗員の腰部Ｗを支え、乗員の姿勢を楽な態勢に保ち、腰への疲労を軽減する。その結果、長時間の車両での移動や長時間の運転による腰痛や椎間板ヘルニアの発症を予防できる。本考案に係る当て具１０は、上記使用例と同様に、当て具本体１の厚みや硬さ、取り付け位置が調節できるので、乗員の身長や体形、その他の身体的特徴にとらわれることなく本考案を実施することができる。
【００４１】
なお、図５における使用例においては、取付帯２を座席の背凭れ部分Ｓに巻き付けることで当て具本体１が乗員の腰部Ｗの背面部と背凭れ部分Ｓとの間に位置するように固定されているが、例えば、図示しないが、取付帯２を乗員の腰部Ｗに巻き付けて、当て具本体１を乗員の腰部Ｗの背面部と背凭れ部分Ｓとの間に位置するように固定して、上記に示す腰当てとして使用しても良い。この場合においても、上記と同様の効果を得られる。
【００４２】
さらに、本考案に係る当て具１０の他の使用例を図６に示し、図１、図２を参照して説明する。図６において、本考案の当て具１０を構成する当て具本体１は、使用者の腰部Ｗに取付帯２によって、図１に示される当て具本体１の背面１Ｒが使用者の腰部Ｗとの接触面となるように固定されている。このとき、詰物は当て具本体１の内部から取り出されている。つまり、当て具本体１は、図１に示される前面１Ｆと、背面１Ｒと、両側面１Ｓと、上面１Ｕと、底面１Ｂとで囲まれる袋体の状態にあり、開閉手段であるファスナー５を備える開閉自在な開口部３が上面に位置するように、前記底面１Ｂが上面に、上面１Ｕが底面になるように取り付けられている。当て具本体１には、開口部３を通して、収容物品６１が収容されている。当て具本体１の固定位置、および使用者の腰部Ｗへの固定強度は取付帯２の末端側に縫い付けられた図示されていない前記面ファスナー４によって調節できる。
【００４３】
従来の車両用枕は、車両の座席に取り付けた状態でのみの使用にとどまるのに対して、本考案の当て具１０は、内部の弾性を持たせるための詰物を当て具本体１から取り出すことができる点で大きく相違する。これによって、本考案の当て具１０は、当て具本体１を上記のように形成される袋体として使用できるので、本考案に係る当て具１０が上記のように固定されることで、当て具本体１の内部に上記のように形成された空間を、収容スペースとして利用するウエストポーチとして使用できる。例えば、車両で外出する際に、何も持たずに目的地に向い、現地で買物等をするような場合において、車両に付属している物品が貴重品等を入れて持ち歩けるようなウエストポーチとして使用できることは、使用者にとって大変便利である。なお、本考案の当て具１０はウエストポーチとしての実施に限定されず、他の実施形態（例えば、ショルダーポーチ等）での実施が為されても良い。また、本考案の当て具１０においては、上記で示したとおり、開閉手段としてファスナー５が使用されているが、本考案の実施形態は、上記の開閉手段に限定されるものではない。
【００４４】
本考案に係る当て具１０の他の実施形態を図７に示す。同図に示される当て具は、図１ａと同様の、乗員の頭部や腰部を支えるための当て具本体１と、図１ａとは異なる、座席等の固定したい場所に巻き付けて該当て具本体１を固定するための帯部材７９、および帯部材７９の一端に取り付けられている金具７６ａ、および長さを調節するための長さ調節金具７６ｂ、および当て具本体１を座席等に固定するための固定手段であり、帯部材７９の他端に取り付けられている着脱用部材７７、から成る一対の取付帯７２と、金具７６ａを介して取付帯７２を当て具本体１に取り付けるための取付部材７８と、で構成されている。取付帯７２は、基端に金具７６ａが、末端に着脱用部材７７が、基端と末端の間に長さ調節金具７６ｂがそれぞれ備えられている。取付部材７８によって、金具７６ａを当て具本体１の両側面１Ｓに取り付けることで、当て具本体１と、取付帯７２とが接続されている。
【００４５】
上記実施形態における当て具を構成する当て具本体１は、図１ａに示されている当て具本体１と同じものであるので、ここでは詳説しない。
【００４６】
前記取付帯７２は、帯部材７９と、金具７６ａと、長さ調節金具７６ｂと、着脱用部材７７と、で形成されている。帯部材７９は、座席のヘッドレスト、または背凭れ部に巻き付けて固定可能な長さを有している。また、同図に示すように、取付帯７２の長さが調節可能なように金具７６ａ、および長さ調節金具７６ｂが取り付けられている。（金具７６ａ、および長さ調節金具７６ｂによる長さの調節のしくみ、およびその方法は当業者に知られているので、ここでは詳説しない。）着脱用部材７７は、取付帯７２の末端に取り付けられており、雄部材と雌部材とを有している。雄部材と雌部材を嵌合させることで、取付帯７２は固定される。
【００４７】
前記取付部材７８は、薄い四角形の部品であり、少なくとも２辺の前記金具７６ａの長手部分とほぼ同じ長さの辺を有している。取付帯７２の基端に備えられている金具７６ａの長手部分を、取付部材７８と当て具本体１の側面１Ｓとの間に挟み、前記金具７６ａの長手部分とほぼ同じ長さの対向する２辺を当て具本体１の側面１Ｓに縫い付けることで、当て具本体１と取付帯７２とを接続させる。
【００４８】
同図に示す実施形態の当て具は、取付帯７２が、金具７６ａ、および長さ調節金具７６ｂを備えることにより自身の長さが調節可能である点で、図１に示されている当て具１０の取付帯２と大きく相違する。これによって、当て具本体１の固定位置や固定強度の調節の自由度がさらに増し、固定可能な対象物の選択肢が広がる。
【００４９】
また、着脱用部材７７で当て具本体１を固定することは、図１ａで示されている面ファスナー４で当て具本体１を固定することと比べて着脱行為に対する耐久性に優れている。具体的には、図１ａで示される面ファスナー４は雄ファスナーと雌ファスナーそれぞれの面を接合、または分離することで着脱され、固定手段として機能するが、これを繰り返し行っていくとファスナー面が次第に劣化し、固定強度が次第に低下する。これに対して、着脱用部品７７は、雄部材と雌部材を嵌合させることで固定手段として機能するので、繰り返し着脱行為を行っても固定強度は低下しない利点がある。
【００５０】
更に、本考案に係る当て具１０の他の実施形態を図８に示す。同図に示される当て具は、図１ａに示すものと同じ当て具本体１の前面１Ｆに、当て具本体１の前面１Ｆの面積と比べて少し小さい面積のポケット８１が設けられている当て具本体１と、図１ａに示すものと同じ取付帯２とで構成されている。ポケット８１は、面ファスナー８４を備えるポケット部材８２を、当て具本体１の前面１Ｆに備えられている面ファスナー８４と、ポケット部材８２に備えられている面ファスナー８４とが対向するように取り付けることで形成され、面ファスナー８４によって開閉可能な開口部８３を有している。
【００５１】
前記ポケット８１は、当て具本体１の前面１Ｆと、当て具本体１の前面１Ｆに取り付けられたポケット部材８２と、で形成さており、開口部８３は、面ファスナー８４によって開閉される。当て具本体１の前面１Ｆと、当て具本体１の前面１Ｆに取り付けられたポケット部材８２の裏面との間には、薄い空間が形成され、厚みの少ない物品を収容できる。
【００５２】
上記実施形態における当て具を構成する取付帯２は、図１ａに示されている取付帯２と同じものであるので、ここでは詳説しない。
【００５３】
上記実施形態の当て具は、当て具本体１にポケット８１を有していることで、ポケット８１の内部に厚みの少ない物品を収容することができる。ポケット８１に収容できる物品は、厚みの少ない物品であるから、当て具としての使用を妨げることはない。例えば、ポケット８１に保冷剤等（保冷剤等は図示しない）を収容して使用することで、乗員の後頭部４１を冷却できる。これによって、乗員の疲労を軽減する効果を得られる。また別の例として、ポケット８１に、例えば、ミント、ローズマリー、レモンバーム等のハーブを混入させた通気性のある袋体（図示省略）を収容して使用することで、乗員に対して、車両移動中のストレス解消や、精神安定や、リラックス作用や、眠気を醒ます効果等を提供できる。なお、使用するハーブの種類や混合割合は使用目的に応じて変更、調整が為されても良い。
【００５４】
また更に、本考案の当て具１０の他の実施形態を図９に示す。同図は、本考案の当て具１０に弾性を持たせるための詰物が収容されている状態を示す上面透視図である。同図によると、材質や外見的特徴が異なる詰物である詰物９１と詰物９２が、互いに隣接し、一の詰物として、例えば、当て具本体１の前面１Ｆ側に詰物９１が、当て具本体１の裏面１Ｒ側に詰物９２が位置するように、それぞれ当て具本体１の内部に収容されている。なお、詰物９１、および詰物９２が収容される位置は、前記の位置に限定されるものではない。
【００５５】
前記詰物９１は、当て具本体１の前面１Ｆと接する側に凹凸形状を有している、ある程度硬さのある材料（例えば、発泡スチロール等）で形成されている。
【００５６】
前記詰物９２は、一または複数のクッション材（例えば、低反発ウレタン、樹脂パイプ等）で形成されており、材料や収容数を変えることで、厚みや硬さを容易に調節できる。
【００５７】
上記実施形態の当て具は、詰物の種類が当て面によって違うので、詰物を入れ替えることなく、使用目的に応じて当て面を選択して使用できる。例えば、詰物９１が収容されている側を当て面として使用する場合、詰物９１の凹凸形状が乗員の腰部付近にあるツボを刺激して疲労を軽減する効果を得ることができるので、座席の背凭れ部に固定して使用する腰当てとしての使用に適している。また、詰物９２が収容されている側を当て面として使用する場合、当て具本体１の厚みや硬さを容易に調節でき、保冷剤等を併用することもできるので、座席のヘッドレストに固定して使用する車両用枕としての使用に適している。
【００５８】
以上に例示した本考案の実施形態に係る当て具は、本考案の技術的思想を実質的に限定するものと解してはならない。
【００５９】
例えば、図２、および図３に示されている内袋２０に収容する内容物２２は、一般的に使用される、前記に示されているストローのような円筒形合成樹脂を細切したものやウレタンスポンジ等の樹脂製の材料に代えて、シュレッダー等の紙裁断機で細かく裁断された排紙を再利用しても良い。これによって、紙の無駄な消費を軽減することができ、資源の節約につながる効果をもたらし、環境破壊問題に少しでも貢献することができる。
【００６０】
また別の実施形態として、内袋２０の内部に木炭を介在させても良い。これによって、頭部からの汗や臭気を木炭が効率良く吸収し、疲労回復を促進する効果を提供できる。
【００６１】
本考案の実施は、上記に示された複数の実施形態、あるいは使用例を組合せて実施することも可能である。よって、本考案は、その要旨を逸脱しない範囲で、当業者の創意と工夫により、適宜に改良、変更又は追加をしながら実施されるものである。
【図面の簡単な説明】
【００６２】
【図１ａ】本考案に係る当て具の実施形態を示す斜視図である。
【図１ｂ】本考案に係る当て具の実施形態を示す上面図である。
【図２】本考案に係る当て具を構成する内袋が当て具本体内に収容されている状態を示す透視斜視図である。
【図３】本考案に係る当て具の構成を示す分解斜視図である。
【図４】本考案に係る当て具の一の使用例を示した側面図である。
【図５】本考案に係る当て具の他の使用例を示した側面図である。
【図６】本考案に係る当て具の更に他の使用例を示した正面図である。
【図７】本考案に係る当て具の他の実施形態を示した斜視図である。
【図８】本考案に係る当て具の更に他の実施形態を示した斜視図である。
【図９】本考案に係る当て具を構成する詰物が当て具本体内に収容されている状態を示す上面透視図である。
【符号の説明】
【００６３】
１      当て具本体
１Ｂ    当て具本体底面
１Ｆ    当て具本体前面
１Ｒ    当て具本体裏面
１Ｓ    当て具本体側面
１Ｕ    当て具本体上面
２      取付帯
３      開口部
４      面ファスナー
５      ファスナー
９      帯部材
１０    当て具
２０    内袋
２１    内袋本体
２１Ｂ  内袋本体底面
２１Ｆ  内袋本体前面
２１Ｒ  内袋本体裏面
２１Ｓ  内袋本体側面
２１Ｕ  内袋本体上面
２２    内容物
２２ａ  樹脂パイプ
２２ｂ  スポンジ
２３    開口部
２５    ファスナー
４１    乗員の後頭部
６１    収容物
７２    取付帯
７６ａ  金具
７６ｂ  長さ調節金具
７７    着脱用部品
７８    取付部材
７９    帯部材
８１    ポケット
８２    ポケット部材
８３    開口部
８４    面ファスナー
９１    詰物
９２    詰物
Ｈ      ヘッドレスト
Ｓ      座席の背凭れ部分
Ｗ      腰部
【図１ａ】
0003147393.tif 000003
【図１ｂ】
0003147393.tif 000004
【図２】
0003147393.tif 000005
【図３】
0003147393.tif 000006
【図４】
0003147393.tif 000007
【図５】
0003147393.tif 000008
【図６】
0003147393.tif 000009
【図７】
0003147393.tif 000010
【図８】
0003147393.tif 000011
【図９】
0003147393.tif 000012